(57)【要約】【課題】非定型のサイズの用紙に印刷を行う場合であっても、指定された紙質と一致しない紙質を有する用紙に対して印刷を実行してしまうことによる印刷不良の発生を抑制することが可能な印刷指示装置、印刷システム及びプログラムを提供する。【解決手段】印刷指示装置は、印刷の実行を要求する印刷要求により指定された、印刷媒体のサイズを示すサイズ情報が履歴情報に含まれない場合に、印刷指示情報により指定された、印刷媒体の紙質を示す紙質情報と、サイズ情報とを関連付けて履歴情報に記録する記録手段と、サイズ情報が履歴情報に含まれる場合であって、かつ、紙質情報がサイズ情報に対応する履歴情報と一致しない場合に、指定された紙質を変更するか否かを確認する確認情報を表示するよう制御する表示制御手段とを備える。【選択図】図２
2020030514.tif 000002
【特許請求の範囲】
【請求項１】
印刷の実行を要求する印刷要求により指定された、印刷媒体のサイズを示すサイズ情報が履歴情報に含まれない場合に、前記印刷要求により指定された、前記印刷媒体の紙質を示す紙質情報と、前記サイズ情報とを関連付けて前記履歴情報に記録する記録手段と、
前記サイズ情報が前記履歴情報に含まれる場合であって、かつ、前記紙質情報が前記サイズ情報に対応する前記履歴情報と一致しない場合に、指定された前記紙質を変更するか否かを確認する確認情報を表示するよう制御する表示制御手段と、
を備える印刷指示装置。
【請求項２】
前記表示制御手段は、前記履歴情報に記録された前記紙質の中から特定の前記紙質に変更するよう推奨する推奨情報をさらに表示するよう制御する、
請求項１に記載の印刷指示装置。
【請求項３】
前記履歴情報は、印刷不良が生じたか否かを示す不良情報を含み、
前記表示制御手段は、前記不良情報に応じて前記確認情報を表示するよう制御する、
請求項１又は２に記載の印刷指示装置。
【請求項４】
前記表示制御手段は、前記サイズ情報が前記履歴情報のうち前記印刷不良が生じていない情報に含まれる場合であって、かつ、前記紙質情報が前記サイズ情報に対応する前記履歴情報と一致しない場合に、前記確認情報を表示するよう制御する、
請求項３に記載の印刷指示装置。
【請求項５】
前記履歴情報は、操作者を識別する操作者識別情報をさらに含み、
前記表示制御手段は、前記操作者識別情報に応じて前記確認情報を表示するよう制御する、
請求項１から４のいずれか１項に記載の印刷指示装置。
【請求項６】
前記表示制御手段は、前記サイズ情報が前記履歴情報のうち同一の操作者の情報に含まれる場合であって、かつ、前記紙質情報が前記サイズ情報に対応する前記履歴情報と一致しない場合に、前記確認情報を表示するよう制御する、
請求項５に記載の印刷指示装置。
【請求項７】
前記履歴情報は、実行された前記印刷を識別する印刷識別情報をさらに含み、
前記表示制御手段は、前記印刷識別情報に応じて前記確認情報を表示するよう制御する、
請求項１から６のいずれか１項に記載の印刷指示装置。
【請求項８】
前記履歴情報は、前記印刷識別情報として前記印刷が実行された時刻を示す印刷時刻情報をさらに含む、
請求項７に記載の印刷指示装置。
【請求項９】
前記表示制御手段は、複数の同一の前記サイズ情報が前記履歴情報に含まれる場合であって、かつ、前記紙質情報が前記同一の複数のサイズ情報のうち、前記印刷時刻情報が示す印刷時刻が最新の前記サイズ情報に対応する前記履歴情報と一致しない場合に、前記確認情報を表示するよう制御する、
請求項８に記載の印刷指示装置。
【請求項１０】
コンピュータを、
印刷の実行を要求する印刷要求により指定された、印刷媒体のサイズを示すサイズ情報が履歴情報に含まれない場合に、前記印刷要求により指定された、前記印刷媒体の紙質を示す紙質情報と、前記サイズ情報とを関連付けて前記履歴情報に記録する記録手段と、
前記サイズ情報が前記履歴情報に含まれる場合であって、かつ、前記紙質情報が前記サイズ情報に対応する前記履歴情報と一致しない場合に、指定された前記紙質を変更するか否かを確認する確認情報を表示するよう制御する表示制御手段、
として機能させるためのプログラム。
【請求項１１】
印刷装置と、
前記印刷装置に印刷の実行を要求する印刷要求により指定された、印刷媒体のサイズを示すサイズ情報が履歴情報に含まれない場合に、前記印刷要求により指定された、前記印刷媒体の紙質を示す紙質情報と、前記サイズ情報とを関連付けて前記履歴情報に記録する記録手段と、
前記サイズ情報が前記履歴情報に含まれる場合であって、かつ、前記紙質情報が前記サイズ情報に対応する前記履歴情報と一致しない場合に、指定された前記紙質を変更するか否かを確認する確認情報を表示するよう制御する表示制御手段と、
を備える印刷システム。
【発明の詳細な説明】
【技術分野】
【０００１】
本発明は、印刷指示装置、印刷システム及びプログラムに関する。
【背景技術】
【０００２】
近年、ユーザの意図する紙種へ適正な印刷が可能となるようにする印刷システムが提案されている（例えば、特許文献１参照。）。
【０００３】
特許文献１に記載された印刷システムは、各給紙トレイに収容している印刷用紙の紙種が設定され、印刷ジョブの印刷設定によって指定される紙種と一致する紙種を収容する給紙トレイを選択して、該給紙トレイから取出した印刷用紙に、前記紙種に基づいて印刷処理を制御して印刷を可能とする印刷装置を含んでいる。
【０００４】
このように印刷ジョブの印刷設定によって指定される紙種と一致する紙種を収容する給紙トレイを選択することによって、指定された紙種と給紙される用紙の紙種との関連付けを行っている。
【先行技術文献】
【特許文献】
【０００５】
【特許文献１】特許第４６０４７３３号公報
【発明の概要】
【発明が解決しようとする課題】
【０００６】
しかしながら、予め印刷システムに登録されない非定型サイズの用紙の場合、サイズに関連付けて紙質を印刷システムに登録することができない。
【０００７】
本発明の課題は、非定型のサイズの用紙に印刷を行う場合であっても、指定された紙質と一致しない紙質を有する用紙に対して印刷を実行してしまうことによる印刷不良の発生を抑制することが可能な印刷指示装置、印刷システム及びプログラムを提供することにある。
【課題を解決するための手段】
【０００８】
［１］印刷の実行を要求する印刷要求により指定された、印刷媒体のサイズを示すサイズ情報が履歴情報に含まれない場合に、前記印刷要求により指定された、前記印刷媒体の紙質を示す紙質情報と、前記サイズ情報とを関連付けて前記履歴情報に記録する記録手段と、
前記サイズ情報が前記履歴情報に含まれる場合であって、かつ、前記紙質情報が前記サイズ情報に対応する前記履歴情報と一致しない場合に、指定された前記紙質を変更するか否かを確認する確認情報を表示するよう制御する表示制御手段と、
を備える印刷指示装置。
［２］前記表示制御手段は、前記履歴情報に記録された前記紙質の中から特定の前記紙質に変更するよう推奨する推奨情報をさらに表示するよう制御する、
前記［１］に記載の印刷指示装置。
［３］前記履歴情報は、印刷不良が生じたか否かを示す不良情報を含み、
前記表示制御手段は、前記不良情報に応じて前記確認情報を表示するよう制御する、
前記［１］又は［２］に記載の印刷指示装置。
［４］前記表示制御手段は、前記サイズ情報が前記履歴情報のうち前記印刷不良が生じていない情報に含まれる場合であって、かつ、前記紙質情報が前記サイズ情報に対応する前記履歴情報と一致しない場合に、前記確認情報を表示するよう制御する、
前記［３］に記載の印刷指示装置。
［５］前記履歴情報は、操作者を識別する操作者識別情報をさらに含み、
前記表示制御手段は、前記操作者識別情報に応じて前記確認情報を表示するよう制御する、
前記［１］から［４］のいずれか１つに記載の印刷指示装置。
［６］前記表示制御手段は、前記サイズ情報が前記履歴情報のうち同一の操作者の情報に含まれる場合であって、かつ、前記紙質情報が前記サイズ情報に対応する前記履歴情報と一致しない場合に、前記確認情報を表示するよう制御する、
前記［５］に記載の印刷指示装置。
［７］前記履歴情報は、実行された前記印刷を識別する印刷識別情報をさらに含み、
前記表示制御手段は、前記印刷識別情報に応じて前記確認情報を表示するよう制御する、
前記［１］から［６］のいずれか１つに記載の印刷指示装置。
［８］前記履歴情報は、前記印刷識別情報として前記印刷が実行された時刻を示す印刷時刻情報をさらに含む、
前記［７］に記載の印刷指示装置。
［９］前記表示制御手段は、複数の同一の前記サイズ情報が前記履歴情報に含まれる場合であって、かつ、前記紙質情報が前記同一の複数のサイズ情報のうち、前記印刷時刻情報が示す印刷時刻が最新の前記サイズ情報に対応する前記履歴情報と一致しない場合に、前記確認情報を表示するよう制御する、
前記［８］に記載の印刷指示装置。
［１０］コンピュータを、
印刷の実行を要求する印刷要求により指定された、印刷媒体のサイズを示すサイズ情報が履歴情報に含まれない場合に、前記印刷要求により指定された、前記印刷媒体の紙質を示す紙質情報と、前記サイズ情報とを関連付けて前記履歴情報に記録する記録手段と、
前記サイズ情報が前記履歴情報に含まれる場合であって、かつ、前記紙質情報が前記サイズ情報に対応する前記履歴情報と一致しない場合に、指定された前記紙質を変更するか否かを確認する確認情報を表示するよう制御する表示制御手段、
として機能させるためのプログラム。
［１１］印刷装置と、
前記印刷装置に印刷の実行を要求する印刷要求により指定された、印刷媒体のサイズを示すサイズ情報が履歴情報に含まれない場合に、前記印刷要求により指定された、前記印刷媒体の紙質を示す紙質情報と、前記サイズ情報とを関連付けて前記履歴情報に記録する記録手段と、
前記サイズ情報が前記履歴情報に含まれる場合であって、かつ、前記紙質情報が前記サイズ情報に対応する前記履歴情報と一致しない場合に、指定された前記紙質を変更するか否かを確認する確認情報を表示するよう制御する表示制御手段と、
を備える印刷システム。
【発明の効果】
【０００９】
請求項１、１０、１１に係る発明によれば、非定型のサイズの用紙に印刷を行う場合であっても、指定された紙質と一致しない紙質を有する用紙に対して印刷を実行してしまうことによる印刷不良の発生を抑制することができる。
請求項２に係る発明によれば、ユーザに対して、印刷不良の発生を抑制するための紙質を印刷条件として設定するよう推奨することができる。
請求項３、４に係る発明によれば、当該プリンタで印刷不良が発生していない紙質を印刷条件として設定するよう推奨することができる。
請求項５、６に係る発明によれば、当該プリンタの利用状況に応じてユーザごとに適切な紙質を印刷条件として設定するよう推奨することができる。
請求項７に係る発明によれば、紙質の候補が複数存在する場合であってもいずれか１つを選択して推奨することができる。
請求項８、９に係る発明によれば、紙質の候補が複数存在する場合に直近で実行された印刷で使用された紙質を印刷条件として設定するよう推奨することができる。
【図面の簡単な説明】
【００１０】
【図１】図１は、本発明の第１の実施の形態に係る印刷システムの構成例を示す図である。
【図２】図２は、図１に示す印刷指示装置の制御系の一例を示すブロック図である。
【図３】図３各図は、通知画面の一例を示す図であり、（ａ）は、第１の通知画面の一例を示す、（ｂ）は、第２の通知画面の一例を示す。
【図４】図４は、図１に示すプリンタの制御系の一例を示すブロック図である。
【図５】図５は、本発明の第１の実施の形態に係る印刷システムの動作の一例を示すシーケンス図である。
【図６】図６は、非定型サイズの用紙に対する印刷の実行の一例を模式的に説明する図である。
【図７】図７は、履歴テーブルの更新の一例を示す図であり、各図は、履歴テーブルの一例を示す図である。
【図８】図８各図は、変形例に係る履歴テーブルの一例を示す図である。
【図９】図９は、本発明の第２の実施の形態に係る印刷システムの構成例を示す図である。
【発明を実施するための形態】
【００１１】
以下、本発明の実施の形態について図面を参照して説明する。なお、各図中、実質的に同一の機能を有する構成要素については、同一の符号を付してその重複した説明を省略する。
【００１２】
［実施の形態の要約］
本実施の形態に係る印刷指示装置は、印刷の実行を要求する印刷要求により指定された、印刷媒体のサイズを示すサイズ情報が履歴情報に含まれない場合に、印刷指示情報により指定された、印刷媒体の紙質を示す紙質情報と、サイズ情報とを関連付けて履歴情報に記録する記録手段と、サイズ情報が履歴情報に含まれる場合であって、かつ、紙質情報がサイズ情報に対応する履歴情報と一致しない場合に、指定された紙質を変更するか否かを確認する確認情報を表示するよう制御する表示制御手段とを備える。
【００１３】
「印刷要求」は、ユーザが当該印刷指示装置に対して印刷の実行を要求することをいう。印刷要求には、例えば、印刷の実行を指示する印刷指示（「印刷ジョブ」ともいう。）が含まれる。「印刷媒体」とは、印刷の対象となる画像データが記録される印刷物をいう。印刷媒体には、例えば、印刷用紙、雑誌、新聞、ポスター、チラシ、カレンダー、袋、包装紙、官製ハガキ、封筒等が含まれる。
【００１４】
「履歴情報」は、当該印刷指示装置に接続されたプリンタで実行された印刷のうち、非定型サイズの印刷媒体に対して行われた印刷に係る情報を記録した情報である。履歴情報は、印刷を実行するための印刷条件のうち、特に、印刷媒体のサイズを示す情報と紙質を示す情報とを含んで構成される。「非定型サイズ」とは、サイズが特定されたとしても紙質を一意的に特定できないサイズの類型をいう。
【００１５】
［第１の実施の形態］
図１は、本発明の第１の実施の形態に係る印刷システムの構成を示す図である。この印刷システム１は、第１のユーザが使用する印刷指示装置２Ａ、第２のユーザが使用する印刷指示装置２Ｂ、及び第３のユーザが使用する印刷指示装置２Ｃと、これら印刷指示装置２Ａ，２Ｂ，２Ｃにネットワーク４を介して接続されたプリンタ３とを有して構成されている。
【００１６】
印刷指示装置２Ａ，２Ｂ，２Ｃには、例えば、パーソナルコンピュータ（ＰＣ）や、タブレット型端末、多機能携帯電話機（スマートフォン）等の携帯情報端末が含まれる。なお、印刷指示装置２Ａ，２Ｂ，２Ｃの台数は、図１に示す台数（３台）に限定されるものではなく、１台や２台でもよく、４台以上でもよい。
【００１７】
以下、第１のユーザが使用する印刷指示装置２Ａ（「ＰＣ−Ａ」ともいう。）と第２のユーザが使用する印刷指示装置２Ｂ（「ＰＣ−Ｂ」ともいう。）と第３のユーザが使用する印刷指示装置２Ｃ（「ＰＣ−Ｃ」ともいう。）とを総称する場合は、単に「印刷指示装置２」ともいう。第１のユーザ、第２のユーザ及び第３のユーザは、操作者の一例である。
【００１８】
プリンタ３は、印刷装置の一例である。プリンタ３には、例えば、スキャナ、コピー等の複数の機能をさらに備えてもよい。なお、プリンタ３の台数は、図１に示す台数に限定されるものではなく、２台以上設けられてもよい。ネットワーク４は、例えば、ローカルエリアネットワーク（ＬＡＮ）、ワイドエリアネットワーク（ＷＡＮ）、インターネット、イントラネット等であり、有線でも無線でもよい。
【００１９】
（印刷指示装置２の構成）
図２は、図１に示す印刷指示装置２の制御系を示すブロック図である。この印刷指示装置２は、各部を制御する制御部２０と、各種のデータを記憶する記憶部２１と、キーボードやマウス等で実現される入力部２３と、液晶ディスプレイ等で実現される表示部２４と、プリンタ３との間でネットワーク４を介して通信する通信部２５とを備える。記憶部２１は、記録手段の一例である。
【００２０】
制御部２０は、ＣＰＵ（Central Processing Unit）、インターフェース等から構成されている。制御部２０は、記憶部２１に記憶されたプリンタドライバ２１０に従って動作することにより、受付手段２００、生成手段２０１、送信手段２０２、受信手段２０３、比較手段２０４、記録指示手段２０５、表示制御手段２０６等として機能する。記録指示手段２０５は、記録手段の一例である。各手段２００〜２０６の詳細については、後述する。
【００２１】
記憶部２１は、ＲＯＭ（Read Only Memory）、ＲＡＭ（Random Access Memory）、ハードディスク等から構成される。記憶部２１は、プリンタドライバ２１０、アプリケーション２１１等のプログラムや、用紙情報２１２、文書データ２１３Ａ、画像データ２１３Ｂ、履歴テーブル２１４、画面情報２１５等の各種データを記憶する。履歴テーブル２１４は、履歴情報の一例である。なお、本明細書において、特定のデータに情報を書き込む場合に「記録」を用い、記憶部２１に情報を書き込む場合に「記憶」を用いる。
【００２２】
プリンタドライバ２１０は、印刷の対象となる文書データ２１３Ａや画像データ２１３Ｂをプリンタ３が解釈できるＰＤＦ（Portable Document Format)、ＰｏｓｔＳｃｒｉｐｔ（登録商標）、ＰＣＬ（Printer Command Language）等のページ記述言語（ＰＤＬ：Page Description Language）で記述された印刷データに変換するとともに、印刷データ及び印刷条件を含む印刷指示（以下、「印刷ジョブ」ともいう。）を生成してプリンタ３に送信する。プリンタドライバ２１０は、印刷指示装置２に接続しているプリンタ３に応じて設けられる。
【００２３】
アプリケーション２１１は、文書データ２１３Ａや画像データ２１３Ｂを作成するプログラムである。アプリケーション２１１には、例えば、文書作成プログラム、図形作成プログラム、表計算プログラム等が含まれる。また、アプリケーション２１１は、文書データ２１３Ａや画像データ２１３Ｂに対する印刷の実行が指示されると、ＧＤＩ（Graphic Device Interface：不図示）を介してプリンタドライバ２１０に各種動作を指示する。
【００２４】
用紙情報２１２は、用紙の種類ごとに用紙のサイズ（以下、単に「用紙サイズ」ともいう。）を記録した情報である。用紙は、印刷媒体の一例である。以下、用紙情報２１２に記録されたサイズを「定型サイズ」ともいう。
【００２５】
「定型サイズ」とは、換言すれば、特定の時点（例えば、プリンタドライバ２１０が当該印刷指示装置２にインストールされた時点等）においてプリンタドライバ２１０が想定している用紙サイズをいう。「定型サイズ」には、例えば、「Ａ４」、「Ｂ５」等の特定の規格で示される用紙サイズが含まれる。どの用紙サイズを定型サイズとするか否かは、プリンタドライバ２１０ごとに定められる。
【００２６】
これに対して、上記特定の時点においてプリンタドライバ２１０が想定していない用紙サイズを「非定型サイズ」ともいう。非定型サイズを有する用紙は、用紙情報２１２に記録しなくともよい。「非定型サイズ」には、例えば、１００ｍｍｘ２００ｍｍのように、具体的な寸法により表現される用紙サイズが該当する。「非定型サイズの用紙」には、例えば、変形はがき、自作封筒、自作ポスター、自作チラシ、カレンダー、包装紙等が含まれる。
【００２７】
履歴テーブル２１４（図７各図参照）は、プリンタ３でこれまでに実行された印刷のうち、非定型サイズの用紙に対して行われた印刷に係る情報を記録したものである。履歴テーブル２１４には、例えば、非定型サイズの用紙の実寸法を示すサイズ情報を記録する「サイズ」欄と、当該印刷が実行されたとき実行条件（以下、「印刷条件」ともいう。）として設定されていた紙質を示す紙質情報を記録する「紙質」欄とが設けられている（図７各図参照）。履歴テーブル２１４の生成や更新についての詳細は後述する。
【００２８】
「紙質」とは、用紙の種類や用紙の種別等の用紙の性質に関連する印刷条件の設定値をいう。「紙質」には、例えば、「普通紙」、「厚紙」、「薄紙」、「再生紙」、「ＯＨＰフィルム」、「ラベル紙」、「インデックス紙」、「コート紙」、「タックフィルム」、「はがき紙」、「封筒紙」等や、その他ユーザにより定義された設定値が含まれる。プリンタ３は、印刷ジョブにより設定された紙質に応じて、トナー等の記録材を用紙に定着させるときの定着温度や、給紙及び排紙の速度等の印刷動作を調整して印刷を実行するようになっている。
【００２９】
なお、履歴テーブル２１４は、当該印刷指示装置２が自装置内で更新して管理しているものでもよく、あるいは、印刷指示装置２が自装置に接続されているプリンタ３から特定のタイミングで取得したものでもよい。
【００３０】
次に、図３を参照して、画面情報２１５について説明する。図３各図は、通知画面の一例を示す図であり、（ａ）は、第１の通知画面の一例を示す、（ｂ）は、第２の通知画面の一例を示す。画面情報２１５は、後述する表示制御手段２０６によって表示部２４に表示するよう制御される画面に係る情報である。画面情報２１５には、例えば、第１の通知画面５や第２の通知画面５Ａ等が含まれる。
【００３１】
第１の通知画面５及び第２の通知画面５Ａは、ユーザに対して、印刷条件として指定された紙質及び推奨される他の紙質を表示するとともに、ユーザに対して紙質を変更するか否かを問い合わせる画面である。
【００３２】
図３（ａ）に示すように、第１の通知画面５には、例えば、ユーザに紙質を変更するか否かを問い合わせる問い合わせメッセージ５１、ユーザによって印刷条件として指定された紙質（「現在の用紙種類」ともいう。）及び推奨される紙質（「推奨する用紙種類」ともいう。）を表示する用紙種別表示欄５２、印刷を取りやめるキャンセル釦５３、紙質を用紙種別表示欄５２に表示された他の紙質に変更して印刷の実行を指示する変更印刷指示釦５４、ユーザによって指定された紙質を印刷条件として印刷の実行を指示する印刷指示釦５５等が含まれる。問い合わせメッセージ５１は、確認情報の一例である。用紙種別表示欄５２は、推奨情報の一例である。
【００３３】
また、図３（ｂ）に示すように、第２の通知画面５Ａには、第１の通知画面５に設けられた設定欄に加えて、用紙種別表示欄５２に複数の用紙種類が推奨されている場合に、これら複数の推奨された用紙種類のうちいずれの用紙種類を選択するかをプルダウン等の方法で指定する指定欄５７０を含み、紙質を変更するか否かを例えばチェックボックス等で選択する第１の選択釦５７Ａ及び第２の選択釦５７Ｂ、第１及び第２の選択釦５７Ａ，５７Ｂにより選択された紙質で印刷を指示する印刷釦５６等をさらに設けてもよい。なお、第１の選択釦５７Ａ及び第２の選択釦５７Ｂは、いずれか一方を選択できるようになっている。
【００３４】
入力部２３と表示部２４とは、別体として設けてもよく、入力部と表示部とを一体化した操作表示部として設けてもよい。入力部２３と表示部２４とを一体化して設ける場合、操作表示部には、例えば、液晶ディスプレイ等のディスプレイにタッチパネルを重合配置した構成を有するタッチパネルディスプレイを用いてもよい。
【００３５】
通信部２５は、ネットワーク４を介して、プリンタ３等の外部装置との間で信号を送受信する。通信部２５は、例えば、ＮＩＣ（Network Interface Card）等によって実現される。
【００３６】
次に、制御部２０の各手段２００〜２０６について説明する。受付手段２００は、入力部２３から入力された各種操作や信号を受け付ける。受付手段２００は、例えば、ユーザの操作に基づく印刷の要求（「印刷要求」又は「印刷リクエスト」ともいう。）を受け付ける。
【００３７】
生成手段２０１は、印刷の実行を指示する情報（以下、「印刷指示情報」ともいう。）を生成する。以下、印刷指示情報を、単に「印刷ジョブ」ともいう。印刷条件には、用紙の種類、上述した用紙サイズや紙質等の用紙の属性に係る用紙属性情報や、白黒印刷／カラー印刷、片面印刷／両面印刷、印刷部数等の印刷態様が含まれる。
【００３８】
送信手段２０２は、通信部２５を制御してネットワーク４を介してプリンタ３に情報や信号を送信する。受信手段２０３は、通信部２５を制御してネットワーク４を介してプリンタ３から送信された情報や信号を受信する。
【００３９】
比較手段２０４は、情報の比較や情報間の照合を行い、その結果を出力する。具体的には、比較手段２０４は、印刷リクエストにより印刷条件として指定された用紙サイズを記憶部２１の用紙情報２１２と照合し、印刷リクエストにより指定された用紙サイズが履歴テーブル２１４に含まれるか否か、すなわち、印刷リクエストにより指定された用紙サイズが定型サイズか非定型サイズかを判定した結果を出力する。
【００４０】
また、印刷リクエストにより指定された用紙サイズが非定型サイズの場合、比較手段２０４は、印刷リクエストにより指定された用紙サイズと履歴テーブル２１４の「サイズ」欄に記録されている用紙サイズとを比較し、印刷リクエストにより指定された用紙サイズが履歴テーブル２１４の「サイズ」欄に記録されている用紙サイズの少なくともいずれか１つと一致するか否か、すなわち、印刷リクエストにより指定された用紙サイズが履歴テーブル２１４に含まれるか否かを判定した結果を出力する。
【００４１】
換言すれば、比較手段２０４は、印刷リクエストにより指定された非定型サイズの用紙と同一の種類の用紙に対して、当該プリンタ３でこれまでに印刷を実行したことがあるか否かを判定した結果を出力する。
【００４２】
また、印刷リクエストにより指定された用紙サイズが履歴テーブル２１４の「サイズ」欄に記録されている用紙サイズの少なくともいずれか１つと一致する場合、比較手段２０４は、印刷リクエストにより指定された紙質を、履歴テーブル２１４の「紙質」欄に記録されている紙質のうち、印刷リクエストにより指定された当該用紙サイズ（すなわち、当該いずれか１つの用紙サイズ）に対応する紙質と比較し、印刷リクエストにより指定された紙質が履歴テーブル２１４に記録された当該用紙サイズに対応する紙質と一致するか否かを判定する。
【００４３】
換言すれば、比較手段２０４は、印刷リクエストにより指定された用紙サイズ及び紙質の組み合わせが、当該プリンタ３でこれまでに印刷を実行したことがある組み合わせか否かを判定した結果を出力する。
【００４４】
記録指示手段２０５は、指定されたプリンタ３に履歴テーブル２１４に情報を記録するよう指示する。一例として、記録指示手段２０５は、通信部２５を制御して、履歴テーブル２１４に追加する情報とともに履歴テーブル２１４を更新するよう指令する更新指令情報を指定されたプリンタ３に送信することにより、当該プリンタ３に履歴テーブル２１４に情報を記録するよう指示してもよい。なお、記録指示手段２０５は、自装置（当該印刷指示装置２）の記憶部２１に記憶された履歴テーブル２１４に情報を記録してもよい。
【００４５】
表示制御手段２０６は、表示部２４に各種情報を表示するよう制御する。例えば、表示制御手段２０６は、第１の通知画面５や第２の通知画面５Ａを表示部２４に表示するよう制御する。
【００４６】
（プリンタ３の構成）
図４は、図１に示すプリンタ３の制御系を示すブロック図である。このプリンタ３は、各部を制御する制御部３０と、各種のデータを記憶する記憶部３１と、印刷データを印刷出力する画像出力部３２と、印刷指示装置２との間でネットワーク４を介して通信する通信部３５とを備える。
【００４７】
プリンタ３の制御部３０は、ＣＰＵ（Central Processing Unit）、インターフェース等から構成されている。プリンタ３の制御部３０は、記憶部３１に記憶されたプログラム３１０に従って動作することにより、受信手段３００、送信手段３０１、更新手段３０２、実行手段３０３等として機能する。更新手段３０２は、記録手段の一例である。各手段３００〜３０３の詳細については、後述する。
【００４８】
プリンタ３の記憶部３１は、ＲＯＭ（Read Only Memory）、ＲＡＭ（Random Access Memory）、ハードディスク等から構成される。記憶部３１は、プログラム３１０や、上述した用紙情報２１２や履歴テーブル２１４等の各種データを記憶する。
【００４９】
画像出力部３２は、例えば、電子写真方式、インクジェット方式等によりカラー画像又は白黒画像を用紙に印刷出力する。通信部３５は、例えば、ＮＩＣ（Network Interface Card）等によって実現され、ネットワーク４を介して、印刷指示装置２との間で信号を送受信する。
【００５０】
次に、制御部３０の各手段３００〜３０３について説明する。プリンタ３の受信手段３００は、プリンタ３の通信部３５を制御してネットワーク４を介して印刷指示装置２から送信された情報や信号を受信する。プリンタ３の送信手段３０１は、プリンタ３の通信部３５を制御してネットワーク４を介して印刷指示装置２に情報や信号を送信する。
【００５１】
更新手段３０２は、プリンタ３の記憶部３１に記憶された履歴テーブル２１４を更新する。「更新する」とは、履歴テーブル２１４に情報を追加することをいう。
【００５２】
なお、更新手段３０２は、印刷指示装置２から送信される更新指令情報に応じて履歴テーブル２１４を更新してもよく、印刷ジョブにより設定された用紙サイズ及び紙質の組み合わせが自装置（プリンタ３）の記憶部３１の履歴テーブル２１４に記録されていない場合に履歴テーブル２１４を更新してもよい。
【００５３】
実行手段３０３は、印刷指示装置２から送信される印刷ジョブに応じて、画像出力部３２を制御して印刷を実行する。
【００５４】
（第１の実施の形態の動作）
次に、第１の実施の形態に係る印刷システム１の動作の一例について図５を参照して説明する。図５は、第１の実施の形態に係る印刷システム１の動作の一例を示すシーケンス図である。
【００５５】
図５に示すように、受付手段２００が印刷指示装置２に対するユーザの操作により印刷条件として用紙サイズ及び紙質が指定された印刷リクエストを受け付けると、比較手段２０４は、印刷リクエストにより指定された用紙サイズを記憶部２１の用紙情報２１２と照合し、この用紙サイズが定型サイズか非定型サイズかを判定する（Ｓ１）。
【００５６】
印刷リクエストにより指定された用紙サイズが非定型サイズの場合（Ｓ１：「非定型サイズ」）、印刷指示装置２の送信手段２０２は、指定された印刷先のプリンタ３に履歴テーブル２１４を要求する履歴テーブルリクエストを送信する（Ｓ２）。
【００５７】
プリンタ３の受信手段３００は、印刷指示装置２から送信された履歴テーブルリクエストを受信する（Ｓ３）。プリンタ３の送信手段３０１は、当該履歴テーブルリクエストに応じて、履歴テーブル２１４を印刷指示装置２に送信する（Ｓ４）。
【００５８】
次に、印刷指示装置２の受信手段２０３は、プリンタ３から送信された履歴テーブル２１４を受信する（Ｓ５）。
【００５９】
比較手段２０４は、印刷リクエストにより指定された非定型の用紙サイズと履歴テーブル２１４の「サイズ」欄に記録された用紙サイズとを比較し（Ｓ６）、印刷リクエストにより指定された非定型の用紙サイズが履歴テーブル２１４の「サイズ」欄に記録された用紙サイズと一致するか否かを確認する。
【００６０】
用紙サイズが履歴テーブル２１４の「サイズ」欄に記録された用紙サイズと一致する場合（Ｓ６：「履歴テーブルと一致する」）、比較手段２０４は、印刷リクエストにより指定された紙質と、履歴テーブル２１４において印刷リクエストにより指定された当該用紙サイズと一致した用紙サイズに対応する紙質とをさらに比較する（Ｓ７）。「用紙サイズに対応する紙質」とは、履歴テーブル２１４において当該用紙サイズに紐付いて記録されている紙質をいう（以下、同様。）。
【００６１】
印刷リクエストにより指定された紙質が、履歴テーブル２１４において印刷リクエストにより指定された当該用紙サイズと一致した用紙サイズに紐付いた紙質と一致しない場合（Ｓ７：「履歴テーブルと一致しない」）、表示制御手段２０６は、図３各図に示すように、第１の通知画面５又は第２の通知画面５Ａを表示部２４に表示するよう制御する（Ｓ８）。
【００６２】
ユーザが表示された第１の通知画面５又は第２の通知画面５Ａ上で必要に応じて紙質を変更する指示を行うと（Ｓ９：「紙質を変更する」）、生成手段２０１は、印刷リクエストにより指定された紙質を第１の通知画面５又は第２の通知画面により指定された他の紙質に変更するとともに（Ｓ１０）、変更された紙質を印刷条件として含む印刷ジョブを生成する（Ｓ１１）。
【００６３】
印刷指示装置２の送信手段２０２は、生成された印刷ジョブを指定されたプリンタ３に送信する（Ｓ１２）。
【００６４】
プリンタ３の受信手段３００は、印刷指示装置２から送信された印刷ジョブを受信する（Ｓ１３）。
【００６５】
印刷ジョブにより設定された用紙サイズが非定型サイズの場合（Ｓ１４：「非定型サイズ」）、更新手段３０２は、履歴テーブル２１４に当該非定型サイズの情報と紙質の情報とを履歴テーブルに追加して保存する、すなわち、履歴テーブル２１４を更新する（Ｓ１５）。なお、更新手段３０２は、印刷指示装置２から送信される更新指令情報に応じて履歴テーブル２１４を更新してもよい。
【００６６】
プリンタ３の実行手段３０３は、受信した印刷ジョブに応じて、画像出力部３２を制御して印刷を実行する（Ｓ１６）。
【００６７】
なお、以下の（i）〜（iii）の場合には、生成手段２０１は、受付手段２００が受け付けた印刷リクエストにより指定された紙質を印刷条件として含む印刷ジョブを生成する（Ｓ１１）。この場合、表示制御手段２０６は、上述した第１の通知画面５や第２の通知画面５Ａを表示部２４に表示するよう制御しなくてもよい。
【００６８】
（i）印刷リクエストにより指定された用紙サイズが定型サイズの場合（Ｓ１：「定型サイズ」）、
（ii）印刷リクエストにより指定された用紙サイズが非定型サイズであったとしても（Ｓ１：「非定型サイズ」）、用紙サイズが履歴テーブル２１４の「サイズ」欄に記録された用紙サイズと一致しない場合（Ｓ６：「一致しない」）、又は
（iii）印刷リクエストにより指定された用紙サイズが非定型サイズであり（Ｓ１：「非定型サイズ」）、かつ、用紙サイズが履歴テーブル２１４の「サイズ」欄に記録された用紙サイズと一致する場合であっても（Ｓ６：「履歴テーブルと一致する」）、印刷リクエストにより指定された紙質が、履歴テーブル２１４において印刷リクエストにより指定された用紙サイズと一致した用紙サイズに紐付いた紙質が一致する場合（Ｓ７：「一致する」）。
【００６９】
（実施例）
次に、本発明の第１の実施の形態に係る印刷システム１の実施例について図６及び図７を参照して説明する。図６は、非定型サイズの用紙に対する印刷の実行の一例を模式的に説明する図である。図７は、履歴テーブル２１４の更新の一例を示す図であり、各図は、履歴テーブル２１４の一例を示す図である。
【００７０】
以下、説明の便宜上、図１示した３台の印刷指示装置２Ａ，２Ｂ，２Ｃが設けられた構成を例に挙げて説明する。また、３台の印刷指示装置２Ａ，２Ｂ，２Ｃのうち、印刷指示装置２Ａ（ＰＣ−Ａ）を使用する第１のユーザを「ユーザＡ」ともいい、印刷指示装置２Ｂ（ＰＣ−Ｂ）を使用する第２のユーザを「ユーザＢ」ともいい、印刷指示装置２Ｃ（ＰＣ−Ｃ）を使用する第３のユーザを、「ユーザＣ」ともいう。
【００７１】
また、図７（ａ）に示すように、履歴テーブル２１４が空の状態、すなわち、履歴テーブル２１４に情報が記録されていない状態で動作が開始した場合を例に挙げて説明する。なお、以下の説明では、特に記述のない限り、ＰＣ−Ａ、ＰＣ−Ｂ及びＰＣ−Ｃのプリンタドライバ（すなわち、制御部２０の各手段）、及びプリンタ３の制御部３０の各手段が行うものとする。
【００７２】
（１）ユーザＡの操作
図６に示すように、ユーザＡがＰＣ−Ａを操作して、用紙サイズに非定型サイズ（「１００ｘ２００ｍｍ」）を指定し、紙質に「厚紙２」を指定して印刷の実行を要求する印刷リクエストを行ったとする（図６の（１）参照）。
【００７３】
この場合、ＰＣ−Ａは、自装置（ＰＣ−Ａ）に接続されているプリンタ３に対して履歴テーブルリクエストを送信する（図６の（２）参照）。
【００７４】
履歴テーブルリクエストを受信したプリンタ３は、自装置（プリンタ３）に保存されている履歴テーブル２１４をＰＣ−Ａに送信する（図６の（３）参照）。
【００７５】
ＰＣ−Ａは、この非定型サイズ（１００ｘ２００ｍｍ）の用紙に対して印刷を実行したことを示す履歴情報が履歴テーブル２１４に含まれているか否かを確認する。
【００７６】
上述のように、履歴テーブル２１４は空の状態であり、履歴テーブル２１４には当該非定型サイズが記録されていないため、ＰＣ−Ａは、当該条件、すなわち、用紙サイズを「１００ｘ２００ｍｍ」とし、紙質を「厚紙２」とする印刷条件を含む印刷ジョブを生成して、プリンタ３に送信する（図６の（４）参照）。
【００７７】
プリンタ３は、受信した印刷ジョブに応じて印刷を実行する（図６の（５）参照）。
【００７８】
プリンタ３は、図７（ｂ）に示すように、履歴テーブル２１４に、印刷ジョブにより設定された用紙サイズ（具体的には、「１００ｍｍｘ２００ｍｍ」）及び紙質（具体的には、「厚紙２」）の設定情報を保存する。
【００７９】
（２）ユーザＢの操作
次に、ユーザＢが操作を行った場合について説明する。なお、図６に対応する模式図の記載は省略する。ユーザＢが、ＰＣ−Ｂを操作して、用紙サイズに非定型サイズ（１００ｘ２００ｍｍ）、紙質に「普通紙」を指定して印刷の実行を要求する印刷リクエストを行ったとする。
【００８０】
ＰＣ−Ｂは、自装置（ＰＣ−Ｂ）に接続されているプリンタ３に対して履歴テーブルリクエストを送信する。
【００８１】
履歴テーブルリクエストを受信したプリンタ３は、自装置（プリンタ３）に保存している履歴テーブル２１４をＰＣ−Ｂに送信する。
【００８２】
ＰＣ−Ｂは、この非定型サイズ（１００ｘ２００ｍｍ）の用紙に対して印刷を実行したことを示す履歴情報が履歴テーブル２１４に含まれているか否かを確認する。
【００８３】
この非定型サイズ（１００ｘ２００ｍｍ）は、上述したＰＣ−Ａから指示された印刷で使用されているため、図７（ｂ）に示した通り、履歴テーブル２１４の「サイズ」欄に記録されている。
【００８４】
次に、ＰＣ−Ｂは、印刷リクエストにより指定された紙質（「普通紙」）と、図７（ｂ）に示す履歴テーブル２１４の「サイズ」欄に記録された当該非定型サイズ（１００ｘ２００ｍｍ）に紐付いた紙質、すなわちＰＣ−Ａからの指示で実行された印刷に使用された紙質(「厚紙２」)とを比較する。
【００８５】
本実施例のように、印刷リクエストにより指定された紙質（「普通紙」）と、履歴テーブル２１４に記録された当該用紙サイズに対応する紙質(「厚紙２」)とが一致しない場合、図３（ａ）に示すように、ユーザＢに第１の通知画面５が表示される。
【００８６】
ユーザＢが第１の通知画面５上で変更印刷指示釦５４を選択した場合、ＰＣ−Ｂは、紙質を「普通紙」から「厚紙２」に変更して印刷ジョブを生成しプリンタ３に送信する。
【００８７】
この場合、印刷ジョブを受信したプリンタ３は、当該印刷ジョブに応じて印刷を実行する。なお、プリンタ３は、履歴テーブル２１４の更新は行わない。なぜならば、印刷ジョブにより指示された紙質は、履歴テーブル２１４既に記録済みの情報（「厚紙２」）と同一であるからである。
【００８８】
これに対して、ユーザＢが第１の通知画面５上で印刷指示釦５５を選択した場合、紙質を「普通紙」のまま変更せずに印刷ジョブを生成しプリンタ３に送信する。
【００８９】
この場合、印刷ジョブを受信したプリンタ３は、当該印刷ジョブに応じて印刷を実行するとともに、図７（ｃ）に示すように、該印刷ジョブで指定された用紙サイズを「１００ｘ２００ｍｍ」とし紙質を「普通紙」とする設定の組み合わせを履歴テーブル２１４に追加する。
【００９０】
（３）ユーザＣの操作
次に、ユーザＣが操作を行った場合について説明する。なお、図６に対応する模式図の記載は省略する。ユーザＣがＰＣ−Ｃを操作して、用紙サイズに非定型サイズ（１００ｘ２００ｍｍ）を指定し、紙質に「薄紙」を指定して、印刷の実行を要求する印刷リクエストを行ったとする。
【００９１】
ＰＣ−Ｃは、自装置（ＰＣ−Ｃ）に接続されているプリンタ３に対して履歴テーブルリクエスト送信する。
【００９２】
履歴テーブルリクエストを受信したプリンタ３は、自装置（プリンタ３）に保存している履歴テーブル２１４をＰＣ−Ｃに送信する。
【００９３】
ＰＣ−Ｃは、この非定型サイズ（１００ｘ２００ｍｍ）の用紙に対して印刷を実行したことを示す履歴情報が履歴テーブル２１４に含まれているか否かを確認ある。
【００９４】
次に、ＰＣ−Ｃは、印刷リクエストにより指定された紙質（「薄紙」）と、図７（ｃ）に示す履歴テーブル２１４の「サイズ」欄に記録された当該非定型サイズ（１００ｘ２００ｍｍ）に紐付いた紙質、すなわちＰＣ−Ａからの指示で実行された印刷に使用された紙質(「厚紙２」)及びＰＣ−Ｂからの指示で実行された印刷に使用された紙質(「普通紙」)とを比較する。
【００９５】
本実施例のように、印刷リクエストにより指定された紙質（「薄紙」）と、履歴テーブル２１４に記録された当該用紙サイズに対応する上記紙質(「厚紙２」及び「普通紙」)とが一致しない場合、図３（ｂ）に示すように、ユーザＣに第２の通知画面５Ａが表示される。
【００９６】
このように履歴テーブル２１４に複数の紙質が記録されている場合(例えば、「厚紙２」及び「普通紙」)、これら複数の紙質から特定の紙質を選択できるようになっている（指定欄５７０参照）。
【００９７】
ユーザＣが第２の通知画面５Ａ上で「推奨される用紙種類に変更して印刷する」と記載された第１の選択釦５７Ａを選択するとともに、選択欄５７０で「厚紙２」を選択して印刷釦５６を操作すると、ＰＣ−Ｃは、紙質を「薄紙」から「厚紙２」に変更して印刷ジョブを生成しプリンタ３に送信する。
【００９８】
この場合、印刷ジョブを受信したプリンタ３は、当該印刷ジョブに応じて印刷を実行する。なお、プリンタ３は、履歴テーブル２１４の更新は行わない。なぜならば、印刷ジョブにより指示された紙質は、履歴テーブル２１４既に記録済みの情報（「厚紙２」）と同一であるからである。
【００９９】
これに対して、ユーザＣが第２の通知画面５Ａ上で「現在の用紙種類で印刷する」と記載された第２の選択釦５７Ｂを選択して印刷釦５６を操作すると、ＰＣ−Ｃは、紙質を「薄紙」のまま変更せずに印刷ジョブを生成しプリンタ３に送信する。
【０１００】
この場合、印刷ジョブを受信したプリンタは、当該印刷ジョブに応じて印刷を実行するとともに、図７（ｄ）に示すように、当該印刷ジョブで設定された用紙サイズを「１００ｘ２００ｍｍ」とし紙質を「普通紙」とする設定の組み合わせを履歴テーブル２１４に追加する。
【０１０１】
以上の実施例で説明した動作を繰り返し行うことで、プリンタ３内の履歴テーブル２１４が更新される。また、履歴テーブル２１４が更新されるごとに、プリンタ３に蓄積される履歴情報の情報量が増加する。
【０１０２】
＜変形例＞
以下、図８を参照して、第１の実施の形態の変形例について説明する。図８各図は、変形例に係る履歴テーブルの一例を示す図である。
（ａ）エラー情報による比較対象の抽出
図８（ａ）に示すように、履歴テーブル２１４Ａに、紙詰まりや記録材（例えば、トナー）の定着不良等の印刷不良（以下、「エラー」ともいう。）の発生の有無を示す情報を非定型サイズに関連付けて記録する記録する「エラー」欄をさらに設けてもよい。エラーの発生の有無を示す情報は、不良情報の一例である。
【０１０３】
この場合、プリンタドライバ（例えば、比較手段２０４）は、履歴テーブル２１４Ａから、「エラー」欄にエラーが発生しなかったことを示す「なし」と記録された非定型サイズ及び紙質の組み合わせ、すなわち、エラーが発生しなかった非定型サイズ及び紙質の組み合わせを抽出して、抽出した履歴情報のみを印刷リクエストにより指定された用紙の条件と比較する比較対象としてもよい。
【０１０４】
換言すれば、印刷指示装置２の受信手段２０３は「エラー」欄に「なし」と記録された組み合わせのみを含む履歴テーブル２１４Ａ、すなわちエラーが発生しない非定型サイズ及び紙質の組み合わせに係る情報のみを受信してもよい。
【０１０５】
印刷指示装置２の受信手段２０３は、送信された履歴テーブル２１４Ａのうち、「エラー」欄に「あり」と記録された組み合わせを除いて受信するようにしてもよい。また、印刷指示装置２の受信手段２０３は、送信された履歴テーブル２１４Ａのうち、「エラー」欄に「なし」と記録された組み合わせのみを選択して受信するようにしてもよい。
【０１０６】
あるいは、プリンタ３の送信手段３０１が履歴テーブル２１４Ａから「エラー」欄に「あり」と記録された組み合わせを除いて印刷指示装置２に送信するようにしてもよい。また、プリンタ３の送信手段３０１が履歴テーブル２１４Ａから「エラー」欄に「なし」と記録された組み合わせのみを抽出して印刷指示装置２に送信するようにしてもよい。
【０１０７】
（ｂ）ユーザ情報による比較対象の抽出
図８（ｂ）に示すように、履歴テーブル２１４Ｂに、ユーザを識別するユーザ識別情報を非定型サイズに関連付けて記録する記録する「ユーザ」欄をさらに設けてもよい。ユーザを識別するユーザ識別情報には、例えば、ユーザの氏名（「ユーザ名」）やユーザＩＤ等が該当する。ユーザ識別情報は、操作者識別情報の一例である。ユーザ識別情報に代えて、印刷指示装置２を識別する情報（例えば、ＰＣの名称等）を用いてもよい。
【０１０８】
例えば、図８（ｂ）に示すように、プリンタドライバ（例えば、比較手段２０４）は、履歴テーブル２１４Ｂから当該印刷リクエストを行ったユーザと同一のユーザに係る履歴情報を抽出して、抽出した同一のユーザに係る履歴情報のみを印刷リクエストにより指定された条件との比較対象としてもよい。
【０１０９】
この場合、例えば、印刷指示装置２の送信手段２０２が、プリンタ３に履歴テーブルリクエストを送信するとき（図５のＳ２参照）、印刷リクエストを行ったユーザを識別するユーザ識別情報（例えば、ユーザ名等）を送信し、プリンタ３の送信手段３０１が受信したユーザ識別情報に応じて当該ユーザに関連する履歴情報のみを抽出して、印刷指示装置２に送信するようにしてよい。
【０１１０】
（ｃ）印刷ジョブによる情報の選択
図８（ｃ）に示すように、履歴テーブル２１４Ｃに、実行された印刷を識別する情報（以下、「印刷識別情報」ともいう。）を非定型サイズに関連付けて記録する記録する欄をさらに設けてもよい。印刷識別情報としては、例えば、印刷を実行した時刻を示す情報（以下、「印刷時刻情報」ともいう。）が該当する。
【０１１１】
印刷を実行した時刻（以下、「印刷時刻」ともいう。）は、印刷ジョブを特定できる時刻であればよく、例えば、受付手段２００が印刷リクエストを受け付けた時刻や、印刷指示装置２から指定されたプリンタ３に印刷ジョブが送信されたときでもよく、プリンタ３が印刷ジョブを受信した時刻でもよく、印刷の実行が開始した時刻や完了した時刻（例えば、印刷物がプリンタ３から出力された時刻）でもよい。
【０１１２】
プリンタドライバ（例えば、比較手段２０４）は、プリンタ３から受信した履歴テーブル２１４Ｃに、予め定められた期間内に同一の非定型サイズの印刷であって、かつ、紙質が互いに異なる印刷が予め定められた回数以上繰り返して実行されたことを示す履歴情報が含まれる場合、これら繰り返して実行された非定型サイズ及び紙質の組み合わせのうち最新の時刻で記録されている組み合わせを抽出して、抽出した履歴情報のみを印刷リクエストにより指定された条件との比較対象としてもよい。
【０１１３】
［第２の実施の形態］
次に、第２の実施の形態について、図９を参照して説明する。図９は、本発明の第２の実施の形態に係る印刷システムの構成例を示す図である。図９に示すように、第２の実施の形態における印刷システム１は、プリントサーバ６をさらに備える点で、第１の実施の形態における印刷システム１と相違する。
【０１１４】
印刷システム１は、印刷指示装置２と、プリンタ３と、これら印刷指示装置２及びプリンタ３にネットワーク４を介して接続されたプリントサーバ６とを有して構成されている。プリントサーバ６は、例えば、ＤＦＥ（Digital Front End）装置である。プリントサーバ６は、画像処理装置の一例である。
【０１１５】
上述した履歴テーブル２１４は、プリントサーバ６内に設けられていてもよい。また、プリントサーバ６が、履歴テーブル２１４を管理してもよい。
【０１１６】
なお、第２の実施の形態でも、第１の実施の形態と同様に動作する。説明の詳細は、省略する。
【０１１７】
以上、本発明の実施の形態を説明したが、本発明の実施の形態は上記実施の形態に限定されるものではなく、本発明の要旨を変更しない範囲内で種々の変形、実施が可能である。例えば、第１の実施の形態におけるプリンタ３を、第２の実施の形態で説明したプリントサーバ６とプリンタ３とを一体化したものとして構成してもよい。換言すれば、第１の実施の形態におけるプリンタ３は、プリントサーバ機能を備えた印刷装置としてもよい。
【０１１８】
また、例えば、生成手段２０１が、受付手段２００が印刷リクエストを受け付けたときに印刷ジョブを生成するとともに、ユーザによる第１の通知画面５又は第２の通知画面５Ａに対する指示があった場合に、この指示に応じて生成された印刷ジョブの内容を変更するようにしてもよい。この場合、印刷ジョブは、印刷要求の一例である。
【０１１９】
制御部２０，３０の各手段は、それぞれ一部又は全部を再構成可能回路（ＦＰＧＡ：Field Programmable Gate Array）、特定用途向け集積回路（ＡＳＩＣ：Application Specific Integrated Circuit）等のハードウエア回路によって構成してもよい。
【０１２０】
また、本発明の要旨を変更しない範囲内で、上記実施の形態の構成要素の一部を省くことや変更することが可能である。また、本発明の要旨を変更しない範囲内で、上記実施の形態のフローにおいて、ステップの追加、削除、変更、入替え等が可能である。また、上記実施の形態で用いたプログラムをＣＤ−ＲＯＭ等のコンピュータで読み取り可能な記録媒体に記録して提供することができ、クラウドサーバ等の外部サーバに格納しておき、ネットワークを介して利用することもできる。
【符号の説明】
【０１２１】
１  印刷システム
２，２Ａ，２Ｂ，２Ｃ  印刷指示装置
２０  制御部
２００  受付手段
２０１  生成手段
２０２  送信手段
２０３  受信手段
２０４  比較手段
２０５  記録指示手段
２０６  表示制御手段
２１  記憶部
２１０  プリンタドライバ
２１１  アプリケーション
２１２  用紙情報
２１３Ａ  文書データ
２１３Ｂ  画像データ
２１４，２１４Ａ，２１４Ｂ，２１４Ｃ  履歴テーブル
２１５  画面情報
２３  入力部
２４  表示部
２５  通信部
３  プリンタ
３０  制御部
３００  受信手段
３０１  送信手段
３０２  更新手段
３０３  実行手段
３１  記憶部
３００  プログラム
３２  画像出力部
３５  通信部
４  ネットワーク
５  第１の通知画面
５Ａ  第２の通知画面
５１  問い合わせメッセージ
５２  用紙種別表示欄
５３  キャンセル釦
５４  変更印刷指示釦
５５  印刷指示釦
５６  印刷釦
５７Ａ  第１の選択釦
５７Ｂ  第２の選択釦
５７０  選択欄
６  プリントサーバ
【図１】
2020030514.tif 000003
【図２】
2020030514.tif 000004
【図３】
2020030514.tif 000005
【図４】
2020030514.tif 000006
【図５】
2020030514.tif 000007
【図６】
2020030514.tif 000008
【図７】
2020030514.tif 000009
【図８】
2020030514.tif 000010
【図９】
2020030514.tif 000011